Podtech/llm-jp-corpus-v4-ja_patent huggingface dataset:
(57)【要約】      （修正有）【課題】イヤホンの装着位置を修正することなく、最適な状態で音声が聞けるようにした眼鏡装着型イヤホンを提供する。【解決手段】イヤホン本体１と眼鏡耳掛け部２とを連結する部材３とからなる構造とし、連結部材３は両端部を有し、端部はイヤホン本体と結合し、他の端部は眼鏡耳掛け部２に装着するクリップ機構を備え、クリップ面４は凹形状の如き、装着状態で取外すことなく簡単に位置の修正が出来る構造からなるイヤホンとする。【選択図】図１
0003143081.tif 000002
【実用新案登録請求の範囲】
【請求項１】
音声を聞くためのイヤホンであって、眼鏡の耳掛け部に装着する構造を備えた耳穴を覆う形式の眼鏡装着型イヤホン。
【請求項２】
請求項１であって、左右いずれか一方の耳だけで使用する眼鏡装着型イヤホン。
【請求項３】
請求項１であって、クリップ機構で眼鏡の耳掛け部に装着する構造を備えた眼鏡装着型イヤホン。
【請求項４】
請求項２であって、クリップ機構で眼鏡の耳掛け部に装着する構造を備えた眼鏡装着型イヤホン。
【請求項５】
請求項３であって、眼鏡耳掛け部に装着した状態で眼鏡耳掛け部に沿ってイヤホンの装着位置を修正できるクリップ機構を備える眼鏡装着型イヤホン。
【請求項６】
請求項４であって、眼鏡耳掛け部に装着した状態で眼鏡耳掛け部に沿ってイヤホンの装着位置を修正できるクリップ機構を備える眼鏡装着型イヤホン。
【請求項７】
請求項５であって、クリップ機構の相対するクリップ面の少なくとも一方の面に凹部形状を備える眼鏡装着型イヤホン。
【請求項８】
請求項６であって、クリップ機構の相対するクリップ面の少なくとも一方の面に凹部形状を備える眼鏡装着型イヤホン。
【考案の詳細な説明】
【技術分野】
【０００１】音波受信装置、或いは再生装置から音声を聴くために使うイヤホンであって、眼鏡耳掛け部に装着する構造を具備するイヤホンに関するものである。
【背景技術】
【０００２】補聴器、携帯電話、ラジオ、イヤーホンプレーヤー等の音声を聴くためのイヤホンには、耳穴へじかに嵌める形式と耳穴を覆う形式の二種類がある。後者の耳穴を覆う形式は、耳に掛ける構造を採用している。このため眼鏡着用者がかかるイヤホンを使うとき、耳には眼鏡の耳掛け部とイヤホンを構成する耳に掛け部とを着けなければならなかった。【０００３】非特許文献１の２５頁に、「イヤーレシーバー耳かけタイプ」の名称で耳掛け式イヤホンの形態を示している。耳掛け部はイヤホン本体の中央上部に取付けられている。【０００４】非特許文献２の７頁に、「アームレスヘッドホン」の名称で、別の耳掛け式イヤホンの形態を示している。耳掛け部はイヤホン本体の前側の上部に取付けられている。【０００５】
【非特許文献１】ＳＯＮＹ  アクセサリー総合カタログ２００７秋号
【非特許文献２】Ｖｉｃｔｏｒ・ＪＶＣ  ＡＶアクセサリー総合カタログ２００５ｗｉｎｔｅｒ
【考案の開示】
【考案が解決しようとする課題】
【０００６】眼鏡着用者が耳掛け式のイヤホンを使う場合、次のような欠点があった。【０００７】眼鏡着用者にとっては、眼鏡は鼻と左右の耳との三箇所を支点として動かないよう顔に最適な状態で着用出来る構造になっているので、その着用中の違和感はない。【０００８】しかし、眼鏡を着用しながら、耳掛け式イヤホンを使う場合、耳には眼鏡の耳掛け部とイヤホンの耳掛け部材との二つが着けられていることになるので、掛けた耳には違和感が残存し、片耳だけに着ける場合はその違和感は一層に強いものがあった。眼鏡の着用者はこの違和感があるために心地よく音声を聴くことはできがたい状態にあった。【０００８】また、耳一つだけで支える耳掛け式イヤホンは動き易く、ずれ易すいので、ときどき、最適な状態で音声を聴けるようにイヤホンの位置を直さなければならないという煩わしさがあった。
【考案を解決するための手段】
【０００９】イヤホン本体（１）と眼鏡の耳掛け部（２）とを連結する部材（３）を設ける。連結部材（３）は両端部（３ａ）（３ｂ）を有し、端部（３ａ）はイヤホン本体（１）の連結箇所（１ａ）の形状と結合できる形状とし、端部（３ｂ）は眼鏡の耳掛け部（２）に装着するためのクリップ機構を備える。クリップ面（４）は眼鏡の耳掛け部に装着していても取外すことなく耳掛け部に沿って簡単に位置の修正が出来る凹形状等を有する形状とする。本考案は以上の特徴を有する眼鏡装着型イヤホンとする。
【考案の効果】
【００１０】本考案の眼鏡フレーム装着式イヤホンは、直接眼鏡に装着できるので、イヤホン使用時の違和感は解消され、またイヤホンの装着位置の修正で感じる煩わしいさも解消できるので、眼鏡を着用しながらでも心地よく音声を聴くことや、快適にオゥデオを楽しむことが出来る。
【考案を実施するための最良の形態】
【００１１】以下、本考案の実施の形態を図面に基づき説明する。
【実施例】
【００１２】眼鏡装着型イヤホンは、イヤホン本体（１）と眼鏡の耳掛け部（２）に装着する連結部材（３）とで構成する。【００１３】連結部材（３）は両端部（３ａ）（３ｂ）を有し、一方の端部（３ａ）は本体（１）に備わる取付け部（１ａ）と嵌め合い、ネジ締結などで結合した形態とし、もう一方の端部（３ｂ）は眼鏡の耳掛け部（２）をそのどの位置においても装着・脱着可能なクリップ機構（４）を備える構造とする。【００１４】クリップ機構の眼鏡耳掛け部（２）を挟むクリップ面（４ａ）には少なくともいずれかの一方には、眼鏡の耳掛け部（２）にイヤホンを装着した後、イヤホンを取り外すことなく眼鏡の掛け部（２）に沿って前後に動かして、簡単にイヤホンの位置の修正ができるように、眼鏡の耳掛け部（２）が嵌る凹形状部（４ｂ）を備える。
【図面の簡単な説明】
【００１５】
【図１】図１は、本考案の実施形態に係る眼鏡耳掛け部への装着状態を示す斜視図である。
【図２】図２は、本考案の実施形態に係る正面図である。
【図３】図３は、本考案の実施形態に係る側面図である。
【図４】図４は、本考案の実施形態に係るクリップ機構におけるクリップ面の断面状態を示す図である。
【符号の説明】
【００１６】１・・・イヤホン本体
１ａ・・・本体側の連結部材との取付け部
２・・・・眼鏡の耳掛け部
３・・・連結部材
３ａ・・・連結部材端部（イヤホンと結合する側）
３ｂ・・・連結部材端部（クリップ機構を有する側）
４・・・クリップ機構
４ａ・・・クリップ面
４ｂ・・・凹形状部
【図１】
0003143081.tif 000003
【図２】
0003143081.tif 000004
【図３】
0003143081.tif 000005
【図４】
0003143081.tif 000006
(57)【要約】      （修正有）【課題】普通のケーキの味わいを皿なしでまたフォークなしでかつ、立ち食べしやすくしたロールケーキコーンを提供する。【解決手段】普通のケーキと同様の生クリーム２や、具３、４、５をたくさん入れたスポンジケーキ１をロール状にして、コーン６（小麦などで作ったコーン型の容器）に差し込むことで、普通のケーキと同じようにおいしく、本格的なケーキ（外見は違っても中味は同じ）を立ち食べできる。【選択図】図１
0003143083.tif 000002
【実用新案登録請求の範囲】
【請求項１】
コーン（小麦などで作ったコーン型の容器、以下コーン）に小麦粉などで作ったスポンジ生地に生クリームなどを塗りコーンに入れることで、具をたくさんのせロール状にしたケーキをして中味がたくさんで、普通のケーキでないと食べられないおいしさを、手だけで、皿なし、フォークなしでも立ち食べできることが特徴なロールケーキコーン
【考案の詳細な説明】
【技術分野】
【０００１】  本考案は、ケーキのおいしさを立ったまま、または歩きながら味わえるようにするために、ロールケーキ（小麦等などの生地を使ったものをロール状−生地の形は三角錐や長方形など問わない、以下ロールケーキと呼ぶ。また以下生地は代表例としてスポンジケーキという呼称で呼ぶ）をコーン（小麦などで作ったコーン型の容器、以下コーンと呼ぶ）に差し込んだコーン入りロールケーキに関するものである。
【背景技術】
【０００２】  ケーキは本来購入後、食べる際には持ち帰って皿にのせフォークを使用したり、あるいは店内で同様にして食していた。皿なし、フォークなしで食べられなかったため立ち食べ、歩き食べするのが困難だった。
【考案の開示】
【考案が解決しようとする課題】
【０００３】  持ち帰って皿とフォークの利用でケーキを食する際は、店で包装が必要だった。また店内利用する場合はメリット、デメリットを別としてスペースと時間が必然的に発生していた。よってケーキを食するには手間がかかった。特にケーキはアイスのように買ってすぐに街で食べたいと思っても、皿がないと食べずらいと考えがちである（そういう行為は恥ずかしいなどと考えがちのためである）。今回はケーキを、皿代わりにロール状のケーキをコーンに差し込むことで、内食での利用が多かった、あるいは店舗での利用の多かったケーキを外に持ち出し、店頭、街頭での立食べや食べ歩き、が可能になるよう解決するものである。
【課題を解決するための手段】
【０００４】    本考案は通常のロールケーキ（ロール状のものはその性質上とかく具が少なめ）には使いにくかったような具をコーンに入れられるがためにそのメリットを利用して、たくさん入れ、ロール状にする。そのロールケーキをコーンに入れることの安定感ゆえに、たくさんの具や味わいを、本来立食べにくい本格的なケーキの味わいを街頭で、皿なし、フォークなしでも食べられることで解決する。
【考案の効果】
【０００５】  通常のケーキと同じような皿なし、フォークなしでは食べられなかったような具たくさんの味わいを、具がロール状で巻かれコーンに入っているため、こぼすことなくそのままかぶりつき立食べ食べ歩きできる。しかも具たくさんなため、味わいの点で普通のケーキと同じような醍醐味を得ることができるため、前者、後者の両者の理由から消費性に優れる効果を持つ。
【考案を実施するための最良の形態】
【０００６】  スポンジケーキに生クリームなどをひき、ロールケーキではのせにくかった普通のケーキにはのる、豊富な具を入れロール状にして、コーンに差し込むと安定感があるというメリットを利用して、街頭、店頭でも具たくさんの普通のようなケーキの味わいがすぐ食べられる立食べが可能なものとなる。
【実施例】
【０００７】  以下、添付図面に従って一実施例を説明する。１は小麦粉などで作ったスポンジケーキで、２は生クリームなど、さらに具３、４、５（例として具を３個に絞る）などをのせ、ロール状にし、６コーンに差しこむことでフォークや皿なしで食べられるようにする。【０００８】  前記ロール状にした１をコーン６に差し込むため安定感があるので３、４、５などの具や、２の生クリームもたくさん入れられる。【０００９】  本考案の一実施例は上述のようなものの構成からなるから１ロールケーキと６コーンを合わせたロールケーキコーンとして普通のケーキと同じような味わいを立ち食べ楽しめる。
【図面の簡単な説明】
【００１０】
【図１】本考案のロールケーキコーンの実例を示す平面図である。
【符号の説明】
【００１１】  １スポンジケーキ
２生クリーム
３具
４具
５具
６コーン
【図１】
0003143083.tif 000003
(57)【要約】      （修正有）【課題】構造が簡単かつ軽量なので持ち運びでき、さまざまな場所に簡単に設置出来る太陽熱温水具を提供する。【解決手段】一本の長い耐熱性がある太いポリエチレンチューブ１を貯水槽にし、一定の長さで上下に折り曲げ、片側のポリエチレンチューブ１内部全てにジャバラパイプ２を設け、引掛け具（Ｓカン）４を取り付け透明断熱シート（エアパック）５で全体を覆う。【選択図】図１
0003143086.tif 000002
【実用新案登録請求の範囲】
【請求項１】
ポリエチレンチューブを上下に折り曲げ水を貯めて使用するもので、折り曲げた片側の引掛け部内部にパイプを設け、透明な断熱カバーを被せて使用する太陽熱温水具。
【考案の詳細な説明】
【技術分野】
【０００１】本考案は、折り曲げた一本の長いポリエチレンチューブ内の水を太陽熱で温めて使用する温水具に関する。
【背景技術】
【０００２】従来の太陽熱温水器は、容器に水を蓄え屋根・広いベランダ等に設置し水道配管工事を行っている。
【考案の開示】
【考案が解決しようとする課題】
【０００３】しかし、これでは容器に重量がある材料を使用して大型に製造されているため、設置場所が限られ移動が大変であることから借家・アパート・マンションにはほとんど設置されていません。
又、ポリエチレンチューブなどの軟質樹脂では大量の水は蓄えられず水圧・熱による破損が発生し易いと考えられ商品化されていないものと思われます。
【問題を解決するための手段】
【０００４】そこで、一本の長い耐熱性がある太いポリエチレンチューブを貯水槽とし、一定の長さで上下に折り曲げて使用する。
折り曲げた片側のポリエチレンチューブ内部にパイプを挿入し、引掛け部を設け持ち上げても水の流れを妨げにくい構造にする。
放熱を防ぐため透明な断熱シートを全体に覆う。
【考案の効果】
【０００５】本考案の太陽熱温水具により、ポリエチレンチューブを均一の厚みのシート状にする事で内部の水温を気温より３０度以上上昇させることが出来る。
口径が広く弾力性があるポリエチレンチューブを使用することで折り曲げても水の移動が可能になり、さらに、折り曲げたポリエチレンチューブ内部の片側にパイプを設け引掛け部にする事で、持ち上げても水道の水圧で循環移動させられる。
ポリエチレンチューブを複数上下に折り曲げることで、貯水槽を分離した構造になり持ち上げて使用しても破損しにくいので、大量の水を蓄えることが出来る。
水を供給しても、一本のチューブ内を移動するので、冷水と混ざりにくく温水のまま供給出来る。
透明な断熱シートで全体を覆う事で、水温の上昇を促がし温度低下を防ぐ。
構造が簡単で軽量なので、持ち運びでき、さまざまな場所に簡単に設置出来る。
【考案を実施するための最良の形態】
【０００６】本考案に係わる貯水チューブ式太陽熱温水具は、図１に示すようにポリエチレンチューブ１を一定の長さで複数上下に折り曲げる。
折り曲げた片側のポリエチレンチューブ１内部全てにジャバラパイプ２を挿入する。
ポリエチレンチューブ１両端にジョイント３を取り付ける。
折り曲げたポリエチレンチューブ１のジヤバラパイプ２挿入部分に引掛け具（Ｓカン）４を取り付ける。
ポリエチレンチューブ１全体を透明断熱シート（エアパック）５で覆う。
【図面の簡単な説明】
【０００７】
【図１】  本考案に係わる貯水チューブ式太陽熱温水具を物干し竿に設置した正面図
【図２】  折り曲げたポリエチレンチューブ１内部にジャバラパイプ２を挿入した断面図
【符号の説明】
【０００８】  １    ポリエチレンチューブ（貯水チューブ）
２    ジャバラパイプ
３    ジョイント
４    引掛け具（Ｓカン）
５    透明断熱シート（エアパック）
【図１】
0003143086.tif 000003
【図２】
0003143086.tif 000004
(57)【要約】      （修正有）【課題】災害時の暗闇で咄嗟に文字を書き充電できる携帯筆記用具を提供する。【解決手段】筆記用具の先端部分の芯の周りを透明に施し、発光体と、バッテリーと、スイッチと、振ることにより発電できる発電機と、整流ダイオードを、合わせ形成して発光体に電流を流し発光させて芯先の周りを見る。発光部が暗くなった場合は、先端方向と後ろ方向に振ることで充電して、筆記用具の芯先を明るくして文字を書くことで解決する。【選択図】図２
0003143063.tif 000002
【実用新案登録請求の範囲】
【請求項１】
筆記用具の芯の周りの先端部分を透明の素材にして、内部に発光体とバッテリーと発光体に電流をＯＮ，ＯＦＦする、スイッチと発電機と整流器を組み合わせて形成した、災害時などの暗闇で咄嗟に文字が書ける事を特徴とした、携帯筆記用具。
【考案の詳細な説明】
【技術分野】
【０００１】  本考案は、災害時などに暗闇で咄嗟に文字が書ける携帯筆記用具に関する。
【背景技術】
【０００２】  暗闇で文字を書く場合は書きづらく明かりが必要となる。
【考案の開示】
【考案が解決しようとする課題】
【０００３】  しかし、これでは、災害時など明かりの調達できない暗闇で筆記用具を使い文字を書こうとすると書きづらく不便である。
【課題を解決するための手段】
【０００４】  そこで、筆記用具の内部に、スイッチとバッテリーと振ることによって発電する発電機と整流ダイオードと先端部の芯の周りに発光部と、発光部の周りを透明の素材で囲い、組み合わせて形成した筆記用具を考案した（図１）。この筆記用具により、芯先の方を明るくして文字を書く。バッテリーが放電したときは、筆記用具を先端部方向と後ろ方向に振ることで発電をし、整流してバッテリーに充電する。
【考案の効果】
【０００５】  よって、本考案の、暗闇でも咄嗟に文字が書ける携帯筆記用具により、災害発生時に緊急避難する場合に、電話機など不通の時、明かりのない場所でも文字を至る所に書き残せるので、まだ帰らない家族に伝言を残すことが出来るのである。【０００６】  携帯筆記用具の先は明るく見る事が出来るので明かりとして使用出来るのである。【０００７】  携帯筆記用具のバッテリーが放電し発光部が光らなくなった場合、先端部方向と後部方向に振ることで、発電機により発電をして整流ダイオードで整流して、／バッテリーに充電できるのである。
【考案を実施するための最良の形態】
【０００８】  以下、本考案に係る、暗闇でも咄嗟に文字が書ける携帯筆記用具は、図１に示すように、筆記用具の内部に、１スイッチと、２バッテリーと、６発電機と、７整流ダイオードと、３芯の周りに、４発光部と、４発光部の周り、５先端部が透明の素材などの組み合わせにより形成されている。筆記用具のサイズは、発光部の明るさと点灯する時間を予測してバッテリーと発電機と整流ダイオードを選出して、筆記用具のサイズを決めれば良い。また、スイッチのＯＮ、ＯＦＦは筆記用具の外側から出来るようにすると良い。【０００９】  上述べしたように、本考案の暗闇でも咄嗟に文字が書ける携帯筆記用具は、筆記用具にスイッチと電池と発電機と整流ダイオードと発光部と発光部を囲う透明の素材を組み合わせて形成し、携帯する事で災害時の停電や電話などの不通で連絡手段の取れない時、暗闇で緊急時には壁や紙や至る所に文字を書き、まだ帰らない家族に伝言を残す事が出来る。
【図面の簡単な説明】
【００１０】
【図１】は、本考案に係わる筆記用具全体構造図である。
【図２】は、筆記用具内の配線図である。
【図３】は、筆記用具内の発電機の構造図である。
【符号の説明】
【００１１】      １  スイッチを示す。
２  バッテリーを示す。
３  芯を示す。
４  発光部を示す。
５  発行部を囲う透明の素材を示す。
６  発電機を示す。
７  整流ダイオードを示す。
８  発電コイルを示す。
９  固定磁石を示す。
１０  振動磁石を示す。
１１  発電機の筒を示す。
【図１】
0003143063.tif 000003
【図２】
0003143063.tif 000004
【図３】
0003143063.tif 000005
(57)【要約】      （修正有）【課題】カーワイパーブレードを交換する時、簡単かつ安心して取り替えることが出来る保護用具を提供する。【解決手段】車両等のカーワイパーブレードをウインドガラスから浮かせ、ウインドガラスの破損を防止するとともに、ウインドガラスに粘着することを防止する為の合成樹脂製の保護用具であって、本体中央にワイパーアームの形状の溝２，３を設けた事を特徴とする。４，５の厚さが違う為本体を反転する事により、多種の車両に装置が可能になる。また、６，７の形状により本体自体が倒れにくくなっている。【選択図】図１
0003143029.tif 000002
【実用新案登録請求の範囲】
【請求項１】
車両等のカーワイパーブレードをウインドガラスから浮かせ、ウインドガラスの破損を防止するとともに、ウインドガラスに粘着することを阻止する合成樹脂製の保護用具。
【考案の詳細な説明】
【技術分野】
【０００１】  本考案は、車両管理に用いるワイパーに関する
【背景技術】
【０００２】  従来、ワイパーブレードの交換はアームを立てて取り替えてなければならない。
【考案の開示】
【考案が解決しようとする課題】
【０００３】  カーワイパーブレードを交換する時、立てていたアームが衝撃により倒れ、ウインドガラスを破損させる事がある。【０００４】  ワイパーブレードが夏季にウインドガラスに粘着する事がある。
【課題を解決するための手段】
【０００５】  カーワイパーのアームの部分に図１の保護用具を取り付け、ワイパーアームの戻りを止めウインドガラスの破損を防御する。
【考案の効果】
【０００６】  またブレードを交換する時も、簡単かつ安心して取り替えることが出来る。
【考案を実施するための最良の形態】
【０００７】  以下、本発明の実施の形態を図１に基づいて説明する。【０００８】  本体は合成樹脂緩衝材であり、この本体１の中央にはワイパーアームの形状の溝が２・３に設けられている。【０００９】  ４・５の厚さが違う為この実施形態によれば本体を反転する事により、多種の車両に装置が可能になる。【００１０】  また、６・７の形状により本体自体が倒れにくくなっている。
【図面の簡単な説明】
【００１１】
【図１】本考案の実施形態を示す鳥瞰図である。
【図２】本考案の装着実用例を示す鳥瞰図である。
【符号の説明】
【００１２】  １  本体
【図１】
0003143029.tif 000003
【図２】
0003143029.tif 000004
【手続補正書】
【提出日】平成20年1月24日(2008.1.24)
【手続補正１】
【補正対象書類名】実用新案登録請求の範囲
【補正対象項目名】全文
【補正方法】変更
【補正の内容】
【実用新案登録請求の範囲】
【請求項１】
車両等のカーワイパーブレードをウインドガラスから浮かせ、ウインドガラスの破損を防止するとともに、ウインドガラスに粘着することを防止する為の合成樹脂製の保護用具であって、本体中央にワイパーアームの形状の溝を設けた事を特徴とする。
【手続補正書】
【提出日】平成20年4月4日(2008.4.4)
【手続補正１】
【補正対象書類名】実用新案登録請求の範囲
【補正対象項目名】全文
【補正方法】変更
【補正の内容】
【実用新案登録請求の範囲】
【請求項１】
車両等のカーワイパーブレードをウインドガラスから浮かせ、ウインドガラスの破損を防止するとともに、ウインドガラスに粘着することを防止する為の合成樹脂製の保護用具であって、本体中央にワイパーアームの形状の溝を設けた事を特徴とする保護用具。
(57)【要約】      （修正有）【課題】磁気記録テープのデータをＤＶＤ等の記録媒体へ変換、記録する高速データ交換記録装置を提供する。【解決手段】磁気記録テープを光磁気記録装置の読み込み方法を応用して高速再生する事でテープの損傷を著しく低減でき、ハードディスク等の記録装置にデジタルデータとして保存されたものを内部または外部で編集しＤＶＤ等の記憶媒体へ記録可能にする。これにより磁気記録テープの高速データ変換が可能となる。【選択図】図１
0003143028.tif 000002
【実用新案登録請求の範囲】
【請求項１】
磁気記録テープを光磁気記録装置の読み込み方法を応用して高速で再生し、ハードディスク等の磁気記録装置に保存し記録されたデータを編集しＤＶＤ等の記憶媒体へ記録可能にする装置。
【考案の詳細な説明】
【技術分野】
【０００１】磁気記録テープを高速再生しＤＶＤ等の記録媒体へ高速変換、記録することを可能にする。
【背景技術】
【０００２】技術の進歩に伴い様々な記録・表示機器が生産販売されているがその反面で旧再生記録装置及び記録媒体の製造販売中止が行われている。  磁気記録テープによる記録方式もＤＶＤに代表されるデジタル記録再生装置に変わりつつあるのが現状である。
そこで、磁気記録テープのデータをＤＶＤ等の記録媒体へ高速変換、記録する技術の開発が必要とされている。
【考案の開示】
【考案が解決しようとする課題】
【０００３】磁気記録テープ（以下ＭＴと呼ぶ）のデータをＤＶＤ等の記録媒体へ変換、記録するにはＭＴの等速再生が必要なため時間がかかる。
【課題を解決するための手段】
【０００４】ＭＴを光磁気記録装置の読み込み方法を応用して高速再生し、ハードディスク等の記録装置に保存する。  また記録されたデータを内部または外部で編集しＤＶＤ等の記憶媒体へ記録可能にする。
【考案の効果】
【０００５】ＭＴを光磁気記録装置の読み込み方法を応用して高速で再生する事でテープの損傷を著しく低減でき、高速再生速度も上げられる。  従って、ＤＶＤ等の記録媒体へ高速変換、記録する事を可能とする。
【考案を実施するための最良の形態】
【０００６】光磁気記録装置の読み込み方法を応用したＭＴ再生装置（以下ＶＰと呼ぶ）、ビデオデータ処理装置（以下ＶＣと呼ぶ）、データ保存装置（以下ＨＤと呼ぶ）および演算処理装置（以下ＣＰＵと呼ぶ）とＤＶＤ等の記録装置（以下ＶＲと呼ぶ）または外部のパソコンやモニター等の記録データ処理装置へのインターフェイス（以下ＩＦと呼ぶ）で構成される。
【実施例】
【０００７】図１は本考案における各装置とデータの流れ図である。
この図において１のＶＰからｎ倍速再生の映像信号（以下ｎＶＳと呼ぶ）と音声信号（以下ｎＳＳと呼ぶ）が２のＶＣへ送られる。【０００８】２ではｎＶＳおよびｎＳＳを等速の映像信号と音声信号に変換し３に保存する。
つまり、サンプリング周期をｎ倍にして等速に変換する際時間軸に対して戻す。【０００９】３に保存されたデータは４で５に記録するデータに編集、変換され３に保存される。【００１０】５で上記の編集変換されたデータを記録する。【００１１】６を通して３のデータを７に取り込み、７で再生、編集を可能にする。
【産業上の利用可能性】
【００１２】本考案はＭＴのデータをＤＶＤ等の記録媒体へ高速変換、記録する事を可能とするだけでなく、ＤＶＤに代表されるデジタル記録再生装置の購買意欲を高め市場の活性化を可能にする。
【図面の簡単な説明】
【００１３】
【図１】本考案における各装置とデータの流れ図である。
【符号の説明】
【００１４】  １：光磁気記録装置の読み込み方法を応用したＭＴ再生装置
２：ビデオデータ処理装置
３：データ保存装置
４：演算処理装置
５：ＤＶＤ等の記録装置
６：外部インターフェイス
７：外部のパソコンやモニター等の記録データ処理装置
【図１】
0003143028.tif 000003
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
磁気記録テープを光磁気記録装置の読み込み方法を応用した高速で再生する装置と、高速で再生された音声、映像信号を等速の信号に演算処理する装置と、等速変換された音声、映像信号を保存する為のハードディスクに代表される磁気記録装置およびこの磁気記録装置に等速処理後保存されたデータを編集しＤＶＤに代表される記憶媒体へ記録可能にする装置。
【手続補正書】
【提出日】平成20年3月21日(2008.3.21)
【手続補正１】
【補正対象書類名】実用新案登録請求の範囲
【補正対象項目名】全文
【補正方法】変更
【補正の内容】
【実用新案登録請求の範囲】
【請求項１】
磁気記録テープをＤＶＤに代表される記憶媒体へ高速で記録可能にする装置。
この考案を実現するための装置の構成は
１．磁気記録テープを光磁気記録装置の読み込み方法を応用した高速で再生する装置
２．高速で再生された音声、映像信号を等速の信号に演算処理する装置
３．等速変換された音声、映像信号を保存する為のハードディスクに代表される磁気記録装置
４．磁気記録装置に等速処理後保存されたデータを編集しＤＶＤに代表される記憶媒体へ記録可能にする装置
である。
(57)【要約】      （修正有）【課題】画面が大きく開かないタイプのノートパソコンであっても使用者の目線とノートパソコンの画面との交差角を直角以上に設定することが可能となるノートパソコン用スタンドを提供する。【解決手段】一対のスタンドの上部に斜めにＵ字型に切り欠き部を設け、そこにノートパソコン本体を差し込んで支え、画面と目線の交差角を直角以上になるよう調整し、顔に対面させて使用することを可能にする。また、切り欠き部のノートパソコンを支える傾斜面の傾斜角を４５度以下にする。【選択図】図２
0003143050.tif 000002
【実用新案登録請求の範囲】
【請求項１】
一対のスタンドの上部に斜めにＵ字型に切り欠き部を設け、そこにノートパソコン本体を差し込んで支え、画面と目線の交差角を直角以上になるよう調整し、顔に対面させて使用することを可能にしたノートパソコン用スタンドであって、切り欠き部のノートパソコンを支える傾斜面の傾斜角を45度以下にしてなることを特徴とする。
【考案の詳細な説明】
【技術分野】
【０００１】
本考案は、ノートパソコン用スタンドに関するものである。
【背景技術】
【０００２】
従来、ノートパソコン本体を傾斜して支えるタイプのノートパソコン用スタンドはあった。それらは画面位置を高く支持し、画面が使用者の顔に対面する形となるため、使用者は背筋を伸ばした姿勢での作業が可能となる利点があった。使用者は、ノートパソコンをスタンドにのせ、画面ヒンジ角度を調整するか、スタンドのノートパソコン本体を支える傾斜面の角度を変えて、画面が顔に対面するようにして使用する。
【０００３】
しかし、ノートパソコン本体を支える傾斜面の角度が可変式で無い場合、すなわち固定式で傾斜角Ａ２が４５度以上の場合、ノートパソコンの画面のヒンジ角Ｂ２が大きく開かないタイプにおいては、画面Ｇ２が前かがみとなり、机Ｔに座った使用者Ｓ２の顔にうまく対面出来ない、すなわち目線ｍ２と画面Ｇ２との交差角Ｃ２が直角以上にならないという不具合があった。（図２参照）
【特許文献１】実用新案登録第３０８６３６６号
【考案の開示】
【考案が解決しようとする課題】
【０００４】
画面が大きく開かないタイプのノートパソコンであっても使用者の目線とノートパソコンの画面との交差角を直角以上に設定することが可能となる。（図３参照）
【課題を解決するための手段】
【０００５】
一対のスタンドの上部に斜めにＵ字型に切り欠き部を設け、そこにノートパソコン本体を差し込んで支え、画面と目線の交差角を直角以上になるよう調整し、顔に対面させて使用することを可能にしたノートパソコン用スタンドであって、切り欠き部のノートパソコンを支える傾斜面の傾斜角を45度以下にしてなることを特徴とする。
【考案の効果】
【０００６】
ノートパソコンの画面のヒンジ角が大きく開かないタイプであっても切り欠き部のノートパソコンを支える面の傾斜角が45度以下のため、机に向かった使用者の目線とノートパソコンの画面との交差角を直角以上に設定することが可能となる。
【考案を実施するための最良の形態】
【０００７】
以下、本考案の実施の形態について説明する。（図３参照）
ノートパソコン用スタンド１は、一対の直方体をしたスタンド本体２の上部に斜めにＵ字型切り欠き部Ｕを有する。なお、同切り欠き部Ｕのノートパソコン本体２を傾斜して支える傾斜面Ｋの傾斜角Ａ３は、45度以下とする。なぜなら、図３において、目線 m３と机Ｔが水平とし、目線ｍ３と画面Ｇ３との交差角をＣ３とすると、ヒンジ角Ｂ３は、傾斜角Ａ３＋交差角Ｃ３である。
つまり、
Ｂ３＝Ａ３+Ｃ３ 
市販されているノートパソコンの中にはヒンジ角Ｂ３が135度より大きく開かないものがあり、交差角Ｃ３は最低でも90度は確保したいので、
Ａ３+Ｃ３≦135
Ａ３≦135-Ｃ３
Ａ３≦135-90
Ａ３≦45
すなわち傾斜角Ａ３は45度以下が良い。
【図面の簡単な説明】
【０００８】
【図１】一対のスタンドの上部に斜めに設けられたＵ字型切り欠き部とノートパソコンを支える傾斜面の傾斜角の説明図。
【図２】使用時の説明図。
【図３】使用時の説明図。
【符号の説明】
【０００９】
１ - ノートパソコン用スタンド
２ - ノートパソコン用スタンド本体
Ｓ - 使用者
Ｔ - 机
Ｇ - 画面
Ｋ - 傾斜面
Ｕ - Ｕ字型切り欠き部
ｍ２、ｍ３- 使用者の目線
Ａ２、Ａ３ - 傾斜角
Ｂ２、Ｂ３ - ヒンジ角
Ｃ２，Ｃ３ - 交差角
【図１】
0003143050.tif 000003
【図２】
0003143050.tif 000004
【図３】
0003143050.tif 000005
【手続補正書】
【提出日】平成20年5月1日(2008.5.1)
【手続補正１】
【補正対象書類名】実用新案登録請求の範囲
【補正対象項目名】請求項１
【補正方法】変更
【補正の内容】
【請求項１】
一対のスタンドの上部に斜めにＵ字型に切り欠き部を設け、そこにノートパソコン本体を差し込んで支え、画面と目線の交差角を直角以上になるよう調整し、顔に対面させて使用することを可能にしたノートパソコン用スタンドであって、切り欠き部のノートパソコンを支える傾斜面の傾斜角を45度以下にしてなることを特徴とするノートパソコン用スタンド。
(57)【要約】      （修正有）【課題】観賞用植物及び人工観賞用樹木及び造花に設置場所に合った造り物を付加する事により装飾効果を上げる。【解決手段】観賞用植物及び人工観賞用樹木及び造花に鳥  蝶  昆虫等の造り物を付加する。この造り物としての飾りは鳥とか蝶、昆虫にこだわる事なく美しく加飾性にとんだ物であれば形状色彩にはこだわらない。【選択図】図１
0003143046.tif 000002
【実用新案登録請求の範囲】
【請求項１】
観賞用植物及び人工観賞用樹木及び造花に鳥とか蝶  昆虫の飾りを取り付けた事を特徴とする。
【請求項２】
請求項１の飾りは鳥とか蝶  昆虫にこだわる事なく美しく加飾性にとんだ物なれば形状色彩にはこだわらない。
【考案の詳細な説明】
【技術分野】
【０００１】本考案は  観賞用植物及び人工観賞用樹木及び造花をより一層設置場所に合った飾り物を選択して取り付け観賞効果を上げることを目的とする。
【背景技術】
【０００２】従来から  観賞用植物及び人工観賞用樹木及び造花は樹木とか葉とか花のみで装飾性に欠けている。
【考案の開示】
【考案が解決しようとする課題】
【０００３】観賞用植物及び人工観賞用樹木及び造花に設置場所の装飾効果を上げる。
【課題を解決するための手段】
【０００４】観賞用植物及び人工観賞用樹木及び造花に設置場所に合った  鳥  蝶  昆虫等の造り物を付加する事により装飾効果を上げる。
【図面の簡単な説明】
【図１】造花に蝶を付けた概略図
【図２】造花に鳥を付けた概略図
【図３】樹木に蝶を付けた概略図
【図４】樹木に鳥を付けた概略図
【符号の説明】
１１  蝶の模型
１２  鳥の模型
【図１】
0003143046.tif 000003
【図２】
0003143046.tif 000004
【図３】
0003143046.tif 000005
【図４】
0003143046.tif 000006
【手続補正書】
【提出日】平成20年3月25日(2008.3.25)
【手続補正１】
【補正対象書類名】実用新案登録請求の範囲
【補正対象項目名】全文
【補正方法】変更
【補正の内容】
【実用新案登録請求の範囲】
【請求項１】
鳥とか蝶  昆虫からなる郡の内の少なくとも１つ以上の飾りを取り付けた事を特徴とする観賞用植物又は人工観賞用樹木又は造花。
【請求項２】
美しく加飾性にとんだ物品からなる飾りを取り付けた事を特徴とする観賞用植物又は人工観賞用樹木又は造花。
(57)【要約】      （修正有）【課題】片手で可動蓋の開放や通話ボタンの押下を可能とする携帯電話を提供する。【解決手段】押ボタン７を押すことによるモーター３の回転により、携帯電話Ａ本体の可動蓋部２の内部の可動傘歯車４と、携帯電話本体の固定部１の内部の押ボタン７に連結された中間傘歯車５と、モーター３と連結された初動傘歯車４との歯車が噛み合って、可動蓋部２が自動的に開くことができる。【選択図】図２
0003143042.tif 000002
【実用新案登録請求の範囲】
【請求項１】
第２図に於いて、携帯電話Ａ本体の内部にモーターと歯車を設置して、受信時に外部の押ボタンを押してスイッチを入れることによって、モーターと歯車の回転により、可動蓋部を自動的に開けることが出来る装置を内蔵した携帯電話。
【考案の詳細な説明】
【技術分野】
【０００１】  この考案は第２図に於いて、携帯電話Ａ本体の固定部（１）の内部に初動傘歯車（４）を連結したモーター（３）と中間傘歯車（５）を設置し、携帯電話Ａ本体の固定部（１）と可動蓋部（２）との可動連結軸（８）と連結する可動傘歯車（６）を設置して、携帯電話Ａ本体固定部（１）の外部の一端に設置した押ボタン（７）で電源を入れることにより、自動的に可動蓋部（２）を開けるようにした加工法である。
【背景技術】
【０００２】  従来、受信した場合、携帯電話Ａ本体の固定部（１）を通常左手で持ち、右手で可動蓋部（２）を開けて通話ボタンを押して会話をしていた。
【考案の開示】
【考案が解決しようとする課題】
【０００３】  しかし、受信しても仕事をしている時、手が空かない時等は、左手で携帯電話Ａ本体の固定部（１）を持って、携帯電話Ａ本体の可動蓋部（２）を開けるのに右手が必要となるために手間・時間がかかり、仕事等を中断しなければならなかった。又ある時は、携帯電話Ａ本体の可動蓋部（２）を開けるのに時間・手間がかかりすぎて電話が途中で切れる場合があった。
【課題を解決するための手段】
【０００４】  この考案の携帯電話は、第２図に於いて携帯電話Ａ本体の固定部（１）の内部に、初動傘歯車（４）と連結したモーター（３）と、中間傘歯車（５）を内蔵し、携帯電話Ａ本体の固定部（１）と可動蓋部（２）との可動連結軸（８）の内部に可動蓋部（２）と連結された可動傘歯車（６）を内蔵し、さらに中間傘歯車（５）と連結されたスイッチ兼用押ボタン（７）を携帯電話Ａ本体の固定部（１）の外部に設置した装置である。
【考案の効果】
【０００５】  これにより、左手で携帯電話Ａ本体の固定部（１）の一端のスイッチ兼用押ボタンを押すことによって、初動傘歯車（４）に連結されたモーター（３）に電源スイッチが入り、モーター（３）が回転してスイッチ兼用押ボタン（７）に連結された中間傘歯車（５）が、モーター（３）と連結された初動傘歯車（４）と、可動蓋部（２）と連結された可動傘歯車（６）に歯車が同時に噛み合って、携帯電話Ａ本体可動蓋部（２）が自動的に開くことにより、片手で手間をかけることなく、素早く操作が出来るようになる。
【考案を実施するための最良の形態】
【０００６】  上述の様に、受信した場合、携帯電話Ａ本体固定部（１）の外部の一端に設置された、中間傘歯車（５）と連結しているスイッチ兼用押ボタン（７）を押すことによりスイッチが入り、電池からの電気によりモーター（３）が回転し、さらに、押ボタン（７）に連結された中間傘歯車（５）が右側に移動して、モーター（３）と連結された初動傘歯車（４）と、携帯電話Ａ本体の蓋部（２）と連結された可動連結軸と連結する可動傘歯車（４）の両方の歯車に同時に噛み合って回転して可動蓋部（２）が開く。
【図面の簡単な説明】
【０００７】
【図１】  携帯電話Ａ本体の側面図
【図２】  第１図に於ける切断面Ａ−Ａにおいて矢印の方向から見た拡大した断面図
【符号の説明】
【０００８】  １  携帯電話Ａ本体の固定部
２  携帯電話Ａ本体の可動蓋部
３  モーター
４  モーターに連結している初動傘歯車
５  中間傘歯車
６  固定部と可動蓋部との可動連結軸と連結している可動傘歯車
７  スイッチ兼用押ボタン
８  固定部と可動蓋部との可動連結軸
９  電池との接続線
１０  中間傘歯車の左右移動バネ
【図１】
0003143042.tif 000003
【図２】
0003143042.tif 000004
【手続補正書】
【提出日】平成20年3月28日(2008.3.28)
【手続補正１】
【補正対象書類名】実用新案登録請求の範囲
【補正対象項目名】全文
【補正方法】変更
【補正の内容】
【実用新案登録請求の範囲】
【請求項１】
携帯電話本体の固定部内に初動傘歯車を連結したモーターと、中間傘歯車を設置して、前記携帯電話本体の固定部と可動蓋部との可動連結軸と連結する可動傘歯車を設置して、前記携帯電話本体の固定部の外部の一端に設置した押ボタンを押してスイッチを入れることにより、前記モーターと前記傘歯車の回転により、前記携帯電話本体の可動蓋部を開けることを特徴とする携帯電話。
(57)【要約】      （修正有）【課題】廃棄する予定の瓶やアルミ缶やペットボトル等の空容器の保管場所を平面的なものから立体的なものにし、できるだけ省スペースで保管できるようにした立体式空容器収納ゴミ袋を提供する。【解決手段】円形状に加工したアルミのフラットバーの内部にゴミ袋を入れ、ゴミ袋が滑り落ちないように４〜５ヶ所をダブルクリップで留める。これにより、瓶やアルミ缶やペットボトル等の空容器をゴミ回収日まで家庭に保管しておく為の場所が、平面から立体になることで保管場所を非常に小さくできるという効果が期待できる。【選択図】図５
0003143043.tif 000002
【実用新案登録請求の範囲】
【請求項１】
図１の大きさのグレーチングの中心に、長さ１０ｃｍ程度のイレクターパイプを溶接し、その中へ図２の丸パイプを差し込んでビスで固定し、図３のアルミのフラットバーを図４の様に円形にし（形状を保つためには２本のネジとナットを使用）、それを図３で示してあるアルミのフラットバーにイレクターパイプを取り付け、そのパイプに５ｍｍのネジ山を施し、図５の様にイレクターパイプを適当な高さに丸パイプに交互にはめ込み、且つ落ちないように蝶ネジで留め、その円形のフラットバーの中にゴミ袋をダブルクリップで固定し、瓶やアルミ缶やペットボトル等の空容器を立体的に収納させようとするものである。
【考案の詳細な説明】
【技術分野】
【０００１】  本考案は、図１と図２を組み合わせたものに、図４に示した５ｍｍのネジ山を施したイレクターパイプを取り付けた円形（直径４００ｍｍ）のアルミのフラットバーを図５のようにイレクターパイプを丸パイプに差し込み、蝶ネジで適当な間隔で留め、更にその円形のフラットバーの中にゴミ袋をダブルクリップで固定し、瓶やアルミ缶やペットボトル等の空容器を立体的に収納しようとするものである。
【背景技術】
【０００２】  従来、瓶やアルミ缶やペットボトルの空容器はその種類に関わらず、一つにまとめていてもゴミの回収は可能であったが、近年、各地域・自治体によるゴミ分別収集制度の導入により空容器を種類ごとに分別して廃棄することが義務化され、家庭ではゴミ回収日まで空容器を分別した状態で保管せねばならず、その保管場所に非常にスペースをとられていた。【０００３】  この改善は、ゴミ袋を立体的に設置し、瓶やアルミ缶やペットボトル等の空容器を分別しながらその立体式ゴミ袋に収納することで、空容器の分類を確実にすると共に、家庭でゴミ回収日まで省スペースで保管できるようにしようとするものである。
【考案の開示】
【考案が解決しようとする課題】
【０００４】  廃棄する瓶やアルミ缶やペットボトル等の空容器の家庭での保管場所をできるだけ場所をとらないよう対策を講じたものである。
【課題を解決するための手段】
【０００５】  図１の台に図２の丸パイプを留め、更にそれに図４の円形状にしたフラットバーを図５の様に取り付け、これに図６の様に円形の中にゴミ袋をダブルクリップで取り付ける。
【考案の効果】
【０００６】  この考案により、瓶やアルミ缶やペットボトル等の空容器をゴミ回収日まで家庭に保管しておく為の場所が、平面から立体になることで保管場所を非常に小さくできるという効果が期待できる。
【考案を実施するための最良の形態】
【０００７】  図１のグレーチングの台に図２の丸パイプと図４の円形にしたアルミのフラットバーを図５の様に取り付け、更にそれぞれが落下しないように蝶ネジで固定する。
【実施例】
【０００８】  円形に加工したアルミのフラットバーを図５の様に取り付け、その円形の内部に図６の様にゴミ袋をダブルクリップで留める。
尚、ダブルクリップは４〜５ヶ所程度留めれば十分である。
【図面の簡単な説明】
【０００９】
【図１】直径２０ｍｍ長さ１７００ｍｍのパイプを取り付ける台
【図２】円形に加工したアルミのフラットバーを取り付けるパイプ
【図３】円形に加工する前のアルミのフラットバー
【図４】ゴミ袋を取り付けるよう加工したアルミのフラットバー
【図５】図１・図２・図４を組み合わせたもの
【図６】図５の状態にしたものにゴミ袋を取り付けたもの
【図１】
0003143043.tif 000003
【図２】
0003143043.tif 000004
【図３】
0003143043.tif 000005
【図４】
0003143043.tif 000006
【図５】
0003143043.tif 000007
【図６】
0003143043.tif 000008
【手続補正書】
【提出日】平成20年4月7日(2008.4.7)
【手続補正１】
【補正対象書類名】実用新案登録請求の範囲
【補正対象項目名】請求項１
【補正方法】変更
【補正の内容】
【請求項１】
イレクターパイプが中心に溶接されたグレーチングからなる台と、
前記イレクターパイプに差し込まれる丸パイプと、
その丸パイプにはめ込みが可能な取付用イレクターパイプが固定され且つ円形に加工され、その中にゴミ袋を固定する一つ又は二つ以上のフラットバーと、
からなる事を特徴とする立体式空容器収納ゴミ袋立て
(57)【要約】      （修正有）【課題】家系図を書き込み出来る命名用紙を提供する。【解決手段】先祖との血統の証しとして家系図を書き込み面２０を設け、本人を中心の家系図書き、命名用紙面１０に名前を書き、御七夜の命名披露をします、裏に書いた文字が表に透き通さぬよいに色面３を中側にして張り合わせる。【選択図】図１
0003143045.tif 000002
【実用新案登録請求の範囲】
【請求項１】
裏面に家系図を書き込み出来る面を設けた命名用紙。
【請求項２】
表面に命名し、裏面に家系図として使いますので、裏写り文字が透き通るのを防ぐために色付け面を中側にして張り合わせた。
【考案の詳細な説明】
【技術分野】
【０００１】本考案は、命名用紙に家系図を書き込みに関する。
【背景技術】
【０００２】従来の命名用紙は子供が生まれたら七日目に名前を付け、命名用紙に名前を書き披露し、御七夜の誕生のお祝いします。
【考案の開示】
【考案が解決しようとする課題】
【０００３】しかし命名用紙は子供の名前だけで親子のつながりが何も印されていない。そして保管もせず使い捨てされています。
【課題を解決するための手段】
【０００４】ここで、一族の家系図を書き、何時までも残せるように書き込む所を設けた命名用紙を考案した（図３）、家系図は命名した本人を中心として親から先祖にさかのぼり、本人の子孫も子供から孫へと次々記載していく事が出来ます、薄色字で補助書を印刷しておきますので簡単に記入出来ます。片側面に書いた字がうら面に透き通さぬように色紙面３を中側にして挟み込みました。
【考案の効果】
【０００５】そこで、一つの生命が誕生することは両親の血受け、そして先祖との血統の証しとして、家系図を書き入れ、命名用紙に名前を書き入れて、御七夜のお祝いして生まれて最初の儀式の思いでとして、また、自分を中心にした家系図は一生の宝物として残す事でしょう。
【考案を実施するための最良の形態】
【０００６】本考案に係る家系図を書き込み出来る命名用紙は、図１に示ように命名用紙の面１０の表面と、家系図の面２０の裏面があります。そこで、片側面に書いた字がうら面に透き通さぬように色面３を中側に挟み入れました。
【図面の簡単な説明】
【０００７】
【図１】本考案に係る家系図を書き込み出来る命名用紙の側面図である。
【図２】本考案に係る家系図を書き込み出来る命名用紙の、表面の名前を書く命名紙面の図である。
【図３】本考案に係る家系図を書き込み出来る命名用紙の、裏面の家系図の面の図である。
【符号の説明】
【０００８】１    名前の記入場所
２    生年月日の記入場所
３    色面
１０  命名を記入用紙
２０  家系図記入用紙
【図１】
0003143045.tif 000003
【図２】
0003143045.tif 000004
【図３】
0003143045.tif 000005
【手続補正書】
【提出日】平成20年4月6日(2008.4.6)
【手続補正１】
【補正対象書類名】実用新案登録請求の範囲
【補正対象項目名】全文
【補正方法】変更
【補正の内容】
【実用新案登録請求の範囲】
【請求項１】
命名用紙用の表面と家系図用の裏面を有し、裏面には薄色で補助書の印刷された命名用紙。
【請求項２】
片側面に書いた字が裏面に透き通さぬように色紙面を中側にして挟み込こんだ請求項１に記載の命名用紙。
(57)【要約】      （修正有）【課題】シンプルな形状で鼻孔と口腔前庭での呼吸のしやすさに差を設けて、いびきの軽減・口呼吸の改善を図ったマスクを提供する。【解決手段】従来よりあるマスク製作工程を基本に考えつつ、マスク本体の鼻孔接触部を削除して、口腔前庭にはより抵抗をかけるようにし、鼻孔部は露出させ大気を直接取り込めるようにして抵抗を無くすことにより鼻呼吸をしやすくした。【選択図】図１
0003143060.tif 000002
【実用新案登録請求の範囲】
【請求項１】
鼻の接触部及び鼻孔分を取り除き、鼻呼吸をスムーズに行えるように加工したマスク。
【請求項２】
見かけ状対策としてマスク加工部を覆い隠すための二重構造にしたマスク。
【請求項３】
鼻の接触部分を立体的に加工して鼻孔部分を開放して鼻呼吸をスムーズに行えるように加工したマスク。
【請求項４】
手の力で簡単に加工可能な紙・綿素材で出来たマスクの鼻孔部分にスリット（切れ込み）を設けて使用者が任意に変形加工して使用できるマスク。
【考案の詳細な説明】
【技術分野】
【０００１】
本考案はマスクのガーゼ及び紙・綿で作成された形状に関する。
【背景技術】
【０００２】
従来のマスクは防塵・防菌を目的とするもので、鼻孔・口腔前庭には同じ抵抗が掛かっていた。
【特許文献１】特開２００６-１７５１１０号公報
【特許文献２】特開２００２-３４５９８５号公報
【特許文献３】実用登録３０９７３４８号公報
【考案の開示】
【考案が解決しようとする課題】
【０００３】
解決しようとする問題点は、シンプルな形状で鼻孔と口腔前庭での呼吸のしやすさに差を設けて、いびきの軽減・口呼吸の改善を提供することを課題とする。
【課題を解決するための手段】
【０００４】
本考案は、口での呼吸よりも鼻からの呼吸をスムーズに行うのを目的としたことを特徴としたマスクである。
【考案の効果】
【０００５】
いびきは就寝中の口呼吸によって口蓋垂が舌根部との間で吹奏楽器のリードのように振動して起こる音だといわれていますが、鼻呼吸によって咽頭から喉頭へと流れていく場合にはいびきが起きにくくなります。また鼻呼吸によって空気を取り込む場合は鼻腔内で鼻粘膜などによって空気が濾過され湿度と体温が加わり喉へ優しいとされています。それに対して口呼吸によって取り込まれた空気は外気の状態をそのままダイレクトに喉に運び込んでしまうために冬などは乾燥した冷たい空気を直接喉に運び込んで、喉を乾燥させて細菌などに対する抵抗力を低下させるといわれています。よって本考案のマスクを着用して鼻呼吸をする習慣を身につけることにより、喉に対する負担軽減になり喉粘膜を保護し抵抗力を上げて体内への病原菌侵入を防ぐ手助けになる。
【考案を実施するための最良の形態】
【０００６】
この考案の一実施形態を、図一に示す。
マスク本体はガーゼまたは紙・綿素材製であり、本体側面には本体を把持するためのゴムまたは紐を付けておく。
【０００７】
「実施形態の効果」
この実施形態によれば、マスクを着用した時に鼻孔への抵抗はなく口腔前庭部へ抵抗を設ける事が可能となり鼻呼吸への依存度が高くなる。
【０００８】
「他の実施形態」
図一の実施形態では鼻露出部分を四角く加工してあるが、他の実施形態では、丸でも三角でも形状に関係なく鼻孔部分が抵抗なく空気を取り入れることが出来るもので良い。もしくは鼻の接触部分を鼻の形状に合わせた立体型に加工し鼻孔部分のみを切除した形の加工、さらに手によって簡単に変形可能な紙・綿素材ならば鼻孔部分にスリット（切れ込み）を入れて使用時に使用者自身の手によって使い勝手の良い形状に加工変形させても良い。
【図面の簡単な説明】
【０００９】
【図１】この考案の一実施形態を示す斜視図である。
【図２】従来技術を示す斜視図である。
【図３】図１に目隠しを付属したもの。
【図４】図３を装着時の下方よりの斜視図。
【図５】鼻の形状にあわせて立体的にしたもの。
【図６】図５を装着時の下方よりの斜視図。
【図７】変形加工可能素材にスリットを入れたもの。
【符号の説明】
【００１０】
１  マスク本体
２  ゴム・紐
【図１】
0003143060.tif 000003
【図２】
0003143060.tif 000004
【図３】
0003143060.tif 000005
【図４】
0003143060.tif 000006
【図５】
0003143060.tif 000007
【図６】
0003143060.tif 000008
【図７】
0003143060.tif 000009
【手続補正書】
【提出日】平成20年4月28日(2008.4.28)
【手続補正１】
【補正対象書類名】実用新案登録請求の範囲
【補正対象項目名】請求項２
【補正方法】変更
【補正の内容】
【請求項２】
取り除いた部分に目隠しを付属して二重構造にした請求項１に記載のマスク。
【手続補正２】
【補正対象書類名】実用新案登録請求の範囲
【補正対象項目名】請求項４
【補正方法】変更
【補正の内容】
【請求項４】
手の力で簡単に加工可能な紙・綿素材で出来たマスクの鼻孔部分にスリットを設けて使用者が任意に変形加工して使用できるマスク。